(57)【特許請求の範囲】
【請求項１】
放送番組を光ディスクに記録する記録手段と、
所望の放送番組を録画するために予約された該放送番組のチャンネルを録画予約チャンネルとして、該放送番組の放送時間を録画予約時間として、該放送番組を録画する画質を録画画質として、記憶する記憶手段と、
前記記憶手段が記憶する前記録画予約チャンネルと前記録画予約時間と前記録画画質とに基づいて、放送番組を前記光ディスクに記録することを前記記録手段に指示する記録管理手段と、を備える映像記録装置において、
通信ネットワークを介して携帯電話とメールで通信し、通信内容を前記記録管理手段に伝送する通信手段を備え、
前記記録管理手段は、所定時に、テレビ放送信号から、放送番組の放送時間などに関する制御データを取得し、予約されている放送番組の放送時間が変更されていないか否か判定し、
前記記録管理手段は、予約されている放送番組の放送時間が変更されていると判定すると、前記記憶手段に記憶されている前記録画予約時間を、取得した前記制御データの放送時間に変更するか否かのメールを携帯電話に前記通信手段を用いて送信し、
前記記録管理手段は、該携帯電話から予約を変更する旨の返信が前記通信手段を介してあると、前記記憶手段に記憶されている前記録画予約時間を、取得した前記制御データの放送時間に変更し、
前記記録管理手段は、前記記録手段が記録する前記光ディスクの残容量を監視する機能を有し、
前記記録管理手段は、前記携帯電話から予約を変更する旨の返信が前記通信手段を介してあると、前記記録手段が記録する前記光ディスクに、取得した前記制御データの放送時間分のデータを全て記憶するだけの残容量があるか否か判定し、
前記記録管理手段は、残容量があると判定すると、前記記憶手段に記憶されている前記録画予約時間を、取得した前記制御データの放送時間に変更し、
前記記録管理手段は、残容量がないと判定すると、前記記録手段が記録する前記光ディスクに保存されている既存ファイルを削除しても良いか否かのメールを前記携帯電話に前記通信手段を用いて送信し、
前記記録管理手段は、前記記録手段が記録する前記光ディスクに保存されている既存ファイルを削除しても良い旨の返信が前記携帯電話から前記通信手段を介してあると、該光ディスクから該既存ファイルを前記記録手段に削除させ、前記記憶手段に記憶されている前記録画予約時間を、取得した前記制御データの放送時間に変更し、
前記記録管理手段は、前記記録手段が記録する前記光ディスクに保存されている既存ファイルを削除してはいけない旨の返信が前記携帯電話から前記通信手段を介してあった時、低画質録画を行っても良いか否かのメールを前記携帯電話に前記通信手段を用いて送信し、
前記記録管理手段は、低画質録画を行っても良い旨の返信が前記携帯電話から前記通信手段を介してあると、前記記憶手段に記憶されている前記録画画質を低画質に変更する映像記録装置。
【発明の詳細な説明】
【技術分野】
【０００１】
本発明は、インターネット等の通信ネットワークを介して通信を行うことができる映像記録装置に関するものである。
【背景技術】
【０００２】
従来より、映像データと音声データ（以下、ＡＶデータと称する）、及び制御データ等をメディアに記録し、又、記録されたメディアからそれらのデータを読み出し、ＡＶデータを再生する映像記録装置がある。ここで、メディアとは、情報記憶媒体のことであり、例えばハード光ディスクＤＶＤ−Ｒ、又はＤＶＤ−ＲＷの光ディスクである。また、映像記録装置は、例えばハードディスクレコーダ、又はＤＶＤレコーダである。
【０００３】
この映像記録装置では、録画開始日時／録画終了日時（以下、区別しない時は、両者をまとめて録画予約時間と称する）、録画番組、及び記録画質などの情報（以下、録画予約情報と称する）を、装置本体又は付属するリモコン装置から設定する。すると、録画予約された日時に、設定された記録画質により、予約した所望の放送番組がメディアに記録される。
【０００４】
しかし、録画中の放送番組の放送時間が変更（延長含む）されて、開始時刻又は終了時刻が変更になった場合であって、録画予約後、外出等の理由により、映像記録装置を直接あるいはリモコンにより操作できない場合、従来の映像記録装置では、映像記録装置の録画予約時間の変更が間に合わないという問題が生じていた。
【０００５】
そこで、特許文献１に記載されたような映像記録装置が提案されている。
この映像記録装置は、通信ネットワークを介して通信する通信手段と、ユーザによって予め設定された録画予約情報を記憶する記憶手段と、前記記憶手段が記憶する録画予約情報を、前記通信手段を用いて通信ネットワーク上のＷｅｂサーバへ随時送信（アップロード）する録画予約情報送信手段と、を備える。
このＷｅｂサーバは、受信した録画予約情報を記憶する。そして、Ｗｅｂサーバは、ユーザ所有の携帯端末からの問い合わせに応じて、録画予約情報を該携帯端末に送信する。ユーザは、この録画予約情報を確認し、E-mailを使って、映像記録装置の録画予約情報を変更する。
【特許文献１】特開２００４−３２８３７５公報
【発明の開示】
【発明が解決しようとする課題】
【０００６】
しかしながら、特許文献１において、ユーザは、E-mailを使って、映像記録装置の録画予約情報を変更するが、放送番組の放送時間が変更された場合、そもそも外出等の理由で映像記録装置を直接操作できないので、放送番組の放送時間が変更されたことを知ることが難しい。そのため、映像記録装置の録画予約時間の変更が間に合わないという問題が生じていた。
【０００７】
特に、録画番組が、緊急特番や野球中継などのスポーツ中継である場合には、放送番組の放送時間が急に延長される場合が多いので、映像記録装置の録画予約時間の変更が間に合わないことが多い。
【０００８】
本発明はこのような従来の課題を解決しようとするものであり、放送番組の放送時間などに関する制御データを取得し、放送番組の放送時間が変更されていた場合、メールをユーザ所有の携帯端末に送信することで、ユーザの判断の下、映像記録装置の録画予約時間を素早く変更できるようにした映像記録装置を提供することを目的とする。
【課題を解決するための手段】
【０００９】
本発明の映像記録装置は、前記課題を解決するために以下の構成を備えている。
【００１０】
（１）放送番組を光ディスクに記録する記録手段と、
所望の放送番組を録画するために予約された該放送番組のチャンネルを録画予約チャンネルとして、該放送番組の放送時間を録画予約時間として、該放送番組を録画する画質を録画画質として、記憶する記憶手段と、
前記記憶手段が記憶する前記録画予約チャンネルと前記録画予約時間と前記録画画質とに基づいて、放送番組を前記光ディスクに記録することを前記記録手段に指示する記録管理手段と、を備える映像記録装置において、
通信ネットワークを介して携帯電話とメールで通信し、通信内容を前記記録管理手段に伝送する通信手段を備え、
前記記録管理手段は、所定時に、テレビ放送信号から、放送番組の放送時間などに関する制御データを取得し、予約されている放送番組の放送時間が変更されていないか否か判定し、
前記記録管理手段は、予約されている放送番組の放送時間が変更されていると判定すると、前記記憶手段に記憶されている前記録画予約時間を、取得した前記制御データの放送時間に変更するか否かのメールを携帯電話に前記通信手段を用いて送信し、
前記記録管理手段は、該携帯電話から予約を変更する旨の返信が前記通信手段を介してあると、前記記憶手段に記憶されている前記録画予約時間を、取得した前記制御データの放送時間に変更し、
前記記録管理手段は、前記記録手段が記録する前記光ディスクの残容量を監視する機能を有し、
前記記録管理手段は、前記携帯電話から予約を変更する旨の返信が前記通信手段を介してあると、前記記録手段が記録する前記光ディスクに、取得した前記制御データの放送時間分のデータを全て記憶するだけの残容量があるか否か判定し、
前記記録管理手段は、残容量があると判定すると、前記記憶手段に記憶されている前記録画予約時間を、取得した前記制御データの放送時間に変更し、
前記記録管理手段は、残容量がないと判定すると、前記記録手段が記録する前記光ディスクに保存されている既存ファイルを削除しても良いか否かのメールを前記携帯電話に前記通信手段を用いて送信し、
前記記録管理手段は、前記記録手段が記録する前記光ディスクに保存されている既存ファイルを削除しても良い旨の返信が前記携帯電話から前記通信手段を介してあると、該光ディスクから該既存ファイルを前記記録手段に削除させ、前記記憶手段に記憶されている前記録画予約時間を、取得した前記制御データの放送時間に変更し、
前記記録管理手段は、前記記録手段が記録する前記光ディスクに保存されている既存ファイルを削除してはいけない旨の返信が前記携帯電話から前記通信手段を介してあった時、低画質録画を行っても良いか否かのメールを前記携帯電話に前記通信手段を用いて送信し、
前記記録管理手段は、低画質録画を行っても良い旨の返信が前記携帯電話から前記通信手段を介してあると、前記記憶手段に記憶されている前記録画画質を低画質に変更する。
【００１１】
この構成において、メディアとは、情報記憶媒体のことであり、例えばハード光ディスクＤＶＤ−Ｒ、又はＤＶＤ−ＲＷの光ディスクである。また、映像記録装置は、例えばハードディスクレコーダ、又はＤＶＤレコーダである。制御データとは、例えばＥＰＧである。携帯端末は、ユーザが携帯する通信機器であり、例えば携帯電話、ＰＣ（Ｐｅｒｓｏｎａｌ  Ｃｏｍｐｕｔｅｒ）、ＰＤＡ（Ｐｅｒｓｏｎａｌ  Ｄｅｇｉｔａｌ  Ａｓｓｉｓｔａｎｔ）、又はＰＨＳ（Ｐｅｒｓｏｎａｌ  Ｈａｎｄｙ−ｐｈｏｎｅ  Ｓｙｓｔｅｍ）である。
また、所定時とは、例えば予約された放送番組の録画をスタートする時、放送番組の録画スタート開始時から３０分経過する毎、放送番組の録画を終了する直前（例えば終了５分前）である。
この構成では、放送番組の放送時間が変更された場合、録画予約時間を変更しても良いか否かのメールをユーザ所有の携帯端末に送信している。そして、録画予約時間を変更しても良いか否かをユーザに判断させ、返信してもらう。
以上より、放送番組の放送時間などに関する制御データを取得し、放送番組の放送時間が変更されていた場合、その旨のメールをユーザ所有の携帯端末に送信することで、ユーザの判断の下、映像記録装置の録画予約時間を素早く変更できるという効果を奏する。
【００１３】
この構成において、上記記録管理手段は、メディアの管理データを読み出し、該管理データから残容量を監視する。
この構成では、放送番組の放送時間が延長された場合を想定している。この場合、放送番組の放送時間が延長された分のデータを全て記録するだけの容量が、メディアに残っているか否かが問題となる。
そこで、この構成では、記録管理手段にメディアの残容量を監視させ、映像記録装置の録画予約時間を変更するに当ってメディアに残容量が残っていない場合、ユーザ所有の携帯端末にその旨のメールを送信することにしている。そして、延長された分のデータを全て記録するだけの残容量を確保するため、メディアの既存ファイルを削除しても良いか否かのメールを携帯端末に送信している。そして、メディアの既存ファイルを削除しても良いか否かユーザに判断してもらう。
以上より、映像記録装置の録画予約時間を変更するに当ってメディアに残容量が残っていない場合、その旨をユーザに通知することができるという効果を奏する。
【００１５】
この構成では、メディアの既存ファイルを削除しても良いか否かのメールを携帯端末に送信し、ユーザから返信があった場面を想定している。
メディアの既存ファイルを削除しても良い旨の返信があった場合、既存ファイルを削除するので、延長された分のデータを全て記録するだけの残容量を確保することができる。
【発明の効果】
【００１６】
この発明によれば、ユーザの判断の下、映像記録装置の録画予約時間を素早く変更できるという効果を奏する。
【発明を実施するための最良の形態】
【００１７】
以下、本発明の実施形態である映像記録装置について説明する。
【００１８】
図１は、本発明の実施形態である映像記録装置の構成を示すブロック図である。
映像記録装置１は、入力されたデータを所定のメディアに記録し、再生指示に応じて既に記録されているデータを再生する記録再生部１０４と、録画予約情報に基づく記録再生部１０４への記録及び記録再生部１０４からの再生、及び以下に説明する各部の動作を制御するマイクロコンピュータ（ＭＰＵすなわち主制御装置）１０５と、を備える。
【００１９】
記録再生部１０４は、例えばＤＶＤ（Ｄｉｇｉｔａｌ  Ｖｅｒｓａｔｉｌｅ  Ｄｉｓｋ）規格に準拠して製造された光ディスクＤに、（放送番組等の）データの記録及び再生が可能なディスクドライブユニット１０４ａと、ディスクドライブユニット１０４ａにセットされた光ディスクＤに記録されるデータあるいは光ディスクＤから再生されたデータの一定量を一時的に保持可能なバッファリングメモリとして機能する一時記録部１０４ｂと、大容量データを記録可能なＨＤＤ（ハードディスクドライブ）１０４ｄと、データプロセッサ１０４ｃと、を備える。
【００２０】
データプロセッサ１０４ｃは、ＭＰＵ１０５の制御に従って、エンコーダ部１０３から出力された記録データをディスクドライブ１０４ａに供給したり、光ディスクＤの再生信号をディスクドライブ１０４ａから取り込み、デコーダ部１０６に供給する。
【００２１】
また、データプロセッサ１０４ｃは、ＭＰＵ１０５の制御に従って、エンコーダ部１０３から出力された記録データをＨＤＤ１０４ａに供給したり、ＨＤＤ１０４ａからの再生信号をデコーダ部に供給する。
さらに、データプロセッサ１０４ｃは、ＭＰＵ１０５の制御に従って、光ディスクＤあるいはＨＤＤ１０４ａに記録された管理データを書替えたり、記録されたデータの削除を行う。
【００２２】
なお、一時記録部１０４ｂは、具体的には、記録途中で光ディスクの記録容量を使い切ってしまった場合において、光ディスクＤが記録容量の残っている光ディスクに交換されるまでの間、記録対象であるデータを、一時記憶しておくことに利用できる。光ディスクＤは例えば追記録可能なＤＶＤ−Ｒ、書換え可能なＤＶＤ−ＲＡＭ等の記録可能光ディスクとする。
【００２３】
ＡＶ入力端子１０１は、記録対象である映像信号や音声信号等を装置本体１外部から入力し、接続されているエンコーダ部１０３に出力する。
チューナ１０２は、例えば放送事業者等に代表される情報配信者から配信されるテレビ放送信号が受信されるアンテナ（不図示）と接続されている。そして、チューナ１０２は、アンテナで受信したテレビ放送信号から選択されているチャンネルのテレビ放送信号を抽出し、エンコーダ部１０３に出力する。テレビ放送信号は、例えばＭＰＥＧ２で圧縮された信号である。また、この信号には、放送予定の番組について放送開始時間などを示した番組表のデータ、所謂電子番組ガイド（ＥＰＧ）、が多重化されている。
【００２４】
エンコーダ部１０３は、ＡＶ入力端子１０１から入力された映像信号や音声信号をエンコードして圧縮し、記録データとして、データプロセッサ１０４ｃに出力する。
【００２５】
また、エンコーダ部１０３は、チューナ１０２から入力されたテレビ放送信号から映像信号、音声信号、ＥＰＧの信号を分離する。そして、エンコーダ部１０３は、ＥＰＧの信号をＭＰＵ１０５に出力するとともに、映像信号や音声信号をエンコードして圧縮し、記録データとして、データプロセッサ１０４ｃに出力する。
【００２６】
デコーダ部１０６は、記録再生部１０４から出力された再生信号をデコードして伸長する。デコーダ部１０６には、（デコーダ部１０６により）デコードされた再生信号を、テレビ等の再生装置に供給するためのＡＶ出力端子１０７が接続されている。
【００２７】
ＭＰＵ１０５は、ＥＰＧの信号を受信すると、それをデコードして、ＥＰＧを取得する。このＥＰＧの取得は、所定時に行うよう予め設定しておくと良い。所定時とは、例えば予約された放送番組の録画をスタートする時、放送番組の録画スタート開始時から３０分経過する毎、放送番組の録画を終了する直前（例えば終了５分前）である。
ＭＰＵ１０５は、取得したＥＰＧをメモリ１１１に更新記録する。すなわち、既にＥＰＧがある場合、つまり、前回のＥＰＧがある場合、ＭＰＵ１０５は、前回のＥＰＧを消去し、取得したＥＰＧをメモリ１１１に記録する。
【００２８】
ＭＰＵ１０５には、タイマーマイコン１０９が接続されている。
タイマーマイコン１０９は、映像記録装置１の時間管理に利用されるタイマー回路（時計ユニット）１０９ａを有している。タイマーマイコン１０９には、ユーザからの操作（指示）を受け付けるユーザ操作入力部１１０が接続されている。
【００２９】
また、ＭＰＵ１０５には、録画予約情報あるいは装置１本体の動作状態を表示する表示部１０８と、電話回線あるいはＣＡＴＶ回線等により接続されるインターネット等の通信ネットワークを介して、外部から録画予約を入力し及び録画予約の可否を、指定された返信先に通知可能な通信制御部１１２と、及び制御プログラムと録画予約情報等を含む内部状態とを記憶するメモリ１１１と、が接続されている。
メモリ１１１は、２つのパーティションで分けられており、録画予約情報テーブル１１１ａと、１１１ａ以外の制御プログラムが記録される領域と、に分かれている。
なお、通信制御部１１２には、ネットワークにおいて広く利用されているブラウザソフト（ネットワーク内で情報の検索や閲覧が可能な応用ソフトウェア）及び所定の条件下で外部にメールを送信可能な図示しないダイヤラー等が予め用意されている。外部から通信ネットワークを介して入力された録画予約情報は、その録画が可能であれば録画予約情報テーブル１１１ａに登録される。この録画予約情報には、放送局ＩＤ、録画予約された放送番組のチャンネル（録画予約チャンネル）、録画開始日時／録画終了日時（録画予約時間）、記録画質等が含まれる。
【００３０】
ＭＰＵ１０５は、メモリ１１１に記憶されている制御プログラムに従い、光ディスクＤに対するデータの記録、再生及び削除、ユーザ操作入力部１１０を介して入力された録画予約情報に対応する録画動作、表示部１０８を用いた表示動作等を制御する。
【００３１】
ＭＰＵ１０５は、一時記録部１０４ｂ、ディスクドライブユニット１０４ａ又はＨＤＤ１０４ｄから光ディスクＤ又はハードディスクの管理情報を、録画予約情報テーブル１１１ａから録画予約情報を、取得する。そして、ＭＰＵ１０５は、取得した管理情報からＨＤＤ１０４ａと、ディスクドライブ１０４ａに装填された光ディスクＤと、の残容量を監視する。また、ＭＰＵ１０５は、録画予約情報から録画予約総件数を算出する。また、ＭＰＵ１０５は、この残容量及び録画予約情報から、予約録画が全て実行された場合の残容量を算出する。
【００３２】
そして、ＭＰＵ１０５は、残容量及びこれら算出したデータを、録画予約情報とともに、内部状態として録画予約情報テーブル１１１ａに記録する。まとめると、内部状態は、管理情報から取得された録画済みの放送番組、既に録画した放送番組の録画開始／終了時刻の一覧表、録画予約総件数、予約録画が全て実行された場合の残容量、及び録画予約情報である。
【００３３】
タイマーマイコン１０９は、タイマー回路（時計ユニット）１０９ａ及び録画予約情報テーブル１１１ａをモニタしながら、ユーザにより設定された録画予約情報を管理し、録画開始時刻に達した時点でＭＰＵ１０５に録画開始指示、及び録画終了時刻に達した時点でＭＰＵ１０５に録画終了指示を出力する。
【００３４】
ユーザ操作入力部１１０は、録画キー、再生キー、及びその他の操作キーを有しており、これらのキー操作により、ユーザは、録画、再生、録画予約情報の入力及び録画予約情報の変更等が可能である。又、ユーザ操作入力部１１０は、図示しないリモコン（リモートコントロール端末）から送信された制御信号を受け入れるデータ受信部１１０ｂ、ユーザからの直接入力を受付け、制御信号をタイマーマイコン１０９へ出力可能な操作パネル１１０ａを含む。
【００３５】
図２は、本発明の実施形態において、ユーザ所有の携帯端末と映像記録装置とが通信ネットワークを介してメール等で通信するシステムを示す図である。
映像記録装置１及び携帯端末３は、図２に示すように、インターネット等の通信ネットワークを介してメールサーバ２及びＷｅｂサーバ４に接続されている。メールは、例えばＥ−mailである。
【００３６】
携帯端末３は、携帯電話、ＰＣ（Ｐｅｒｓｏｎａｌ  Ｃｏｍｐｕｔｅｒ）、ＰＤＡ（Ｐｅｒｓｏｎａｌ  Ｄｅｇｉｔａｌ  Ａｓｓｉｓｔａｎｔ）、又はＰＨＳ（Ｐｅｒｓｏｎａｌ  Ｈａｎｄｙ−ｐｈｏｎｅ  Ｓｙｓｔｅｍ）等、既存の通信可能機器である。
Ｗｅｂサーバ４は、インターネット上のサイトであって、例えば映像記録装置１のメーカーが開設し、ユーザは無料で使用することができる。ユーザ（又は映像記録装置１）はＷｅｂサーバ４のインターネットアドレスであるＵＲＬ（Ｕｎｉｆｏｒｍ  Ｒｅｓｏｕｒｃｅ  Ｌｏｃａｔｏｒ）に暗証番号等の識別番号を付してサイトを特定することにより、Ｗｅｂサーバ４にアクセスできる。
【００３７】
図２において、携帯端末３によりユーザから録画予約を含むメールが、メールサーバ２に送信される。メール送信先アドレスは、映像記録装置１固有のアドレスである。
映像記録装置１は、メールサーバ２からメールを受信し、メール本文中の特定の符号列を録画予約情報と判断し、該録画予約情報を録画予約情報テーブル１１１aに格納する。
そして、映像記録装置１は、録画予約情報テーブル１１１aから録画予約情報を含む内部状態を読み出し、内部状態をＷｅｂサーバ４にアップロードする。Ｗｅｂサーバ４には、最新の内部状態が格納される。
【００３８】
図３は、本発明の実施形態である映像記録装置の内部状態を示す図である。
内部状態は、管理情報から取得された録画済みの放送番組、既に録画した放送番組の録画開始／終了時刻の一覧表、録画予約総件数、予約録画が全て実行された場合の残容量、及び録画予約情報である。
【００３９】
例えば、ＤＶＤの残容量が少なく、ＨＤＤの残容量が十分ある場合、ユーザにより録画先がＤＶＤに指定され、予約録画が不可能なとき、ユーザは内部状態を受信することにより、録画先をＨＤＤに変更すればよいことが直ぐに確認できる。
【００４０】
また、一般的な映像記録装置は録画予約件数に例えば１０件等の制限があり、残容量が充分ある場合でも、録画予約件数が制限値に達していると録画することができない。内部状態として録画予約総件数を示すことにより、ユーザは、残容量とは別に件数としてあと何件録画できるかを確認できる。
【００４１】
Ｗｅｂサーバ４に格納された内部状態は、ユーザが携帯端末３を用いて該Ｗｅｂサーバ４にアクセスし、内部状態の転送を指示（問い合わせ）することにより、ユーザ所有の携帯端末３へ転送される。
【００４２】
図２に戻り、映像記録装置１の電源が入っている状態又はスタンバイ状態で、映像記録装置１からメールサーバ２へのアクセスは、ユーザが設定した時間間隔で実行可能である。スタンバイ状態では、タイマーマイコン１０９、ＭＰＵ１０５、メモリ１１１、及び通信制御部１１２のみに電源が供給されている。
【００４３】
ここで、通信制御部１１２が、本発明の「通信手段」に相当する。また、ＨＤＤ１０４ｄ、光ディスクＤ及び一時記録部１０４ｂが、本発明の「メディア」に相当する。また、ディスクドライブ１０４a及びＨＤＤ１０４ｄが、本発明の「記録手段」に相当する。また、録画予約情報テーブル１１１aが、本発明の「記憶手段」に相当する。また、ＴＶチューナ１０２、タイマーマイコン１０９、及びＭＰＵ１０５が、本発明の「記録管理手段」に相当する。
【００４４】
図４は、本発明の実施形態である映像記録装置のＭＰＵが行う動作を示すフローチャートである。この動作は、タイマーマイコン１０９の録画開始指示がトリガとなって開始される動作である。また、この動作は、録画が完了したり、録画停止などの他の操作が行われたりすると、強制的に終了する。
【００４５】
タイマーマイコン１０９の録画開始指示があると、ＭＰＵ１０５は、メモリ１１１に記憶されている制御プログラムに係るモードである録画モードを実行する（ｓ１）。すると、ＭＰＵ１０５は、スタンバイ状態であれば電源オンし、光ディスクＤ又はＨＤＤ１０４ｄに対し、データの記録を行うための制御を開始し、録画が開始される。
【００４６】
ＭＰＵ１０５は、取得したＥＰＧにフラグが付されていないか否か判定する（ｓ２）。このフラグは、後述のｓ９で付されるフラグである。
なお、ＥＰＧが取得されていない場合も判定否とする。
【００４７】
取得したＥＰＧにフラグが付されていると判定すると、ＭＰＵ１０５は、ｓ２に戻り処理を継続する。上述したように、ＥＰＧは、メモリ１１１に記録されているが、所定時に更新される。そのため、フラグがふされたＥＰＧが記録されていても、フラグがふされていない次の新しいＥＰＧの取得により、ｓ２において判定肯定となる。
【００４８】
一方、ｓ２において、ＥＰＧにフラグが付されていないと判定すると、ＭＰＵ１０５は、ＥＰＧを参照して、予約されている放送番組の放送時間が変更（延長含む）されていないか否か判定する（ｓ３）。ｓ３では、現在録画している放送番組の放送時間が変更されていないか否かだけを判定しても良い。
変更されていないと判定すると、ｓ３の判定において参照したＥＰＧにフラグを付し（ｓ９）、ｓ２に戻り処理を継続する。
【００４９】
一方、予約されている放送番組の放送時間が変更されていると判定すると、ＭＰＵ１０５は、録画予約情報テーブル１１１aの録画予約時間を、取得したＥＰＧの放送時間に変更するか否かのメールを携帯端末３に送信することを通信制御部１１２に指示する（ｓ４）。つまり、通信制御部１１２を用いて携帯端末３に送信する。ｓ４は、録画予約時間を変更してもよいかユーザに判断してもらうためである。
【００５０】
図５は、ユーザ所有の携帯端末に送信するメールのフォーマットの一例を示す図である。
例えば、ｓ４において図５に示すようなメールを送信する。ユーザは、ＹＥＳかＮＯかのいずれか一方のチェックボックスに印を付けて、映像記録装置１に返信する。このようにチェックボックスを用いることで、後述のｓ６における判定が容易となる。そのため、素早く録画予約時間を変更できる１つのファクターとなる。
【００５１】
ＭＰＵ１０５は、携帯端末３から返信があったか否かを判定する（ｓ５）。通信制御部１１２は、携帯端末３から何らかの返信があると、ＭＰＵ１０５に通知するよう設定しておく。
返信がないと判定すると、ＭＰＵ１０５は、一定時間が経過したか否か判定する（ｓ７）。一定時間は、ｓ４の処理を行ってから、つまり通信制御部１１２を用いて携帯端末３に送信してから、ユーザが携帯端末３で内容を確認し、返信メールを作成して送信し、通信制御部１１２が受信するまでにかかる平均時間にすれば良い。一定時間は、例えば１０分、２０分である。ｓ５及びｓ７では、ユーザが携帯端末３で内容を確認し、返信メールを作成して送信する場面を想定している。
【００５２】
一定時間が経過していないと判定すると、ＭＰＵ１０５は、ｓ５に戻り処理を継続する。
【００５３】
一定時間が経過していると判定すると、ＭＰＵ１０５は、録画予約時間を変更するための録画予約時間変更ルーチンを実行し（ｓ８）、本処理を終了する。一定時間が経過していると判定する場面は、例えばユーザがメールに気付かないために一定時間が経過した場面である。録画予約時間変更ルーチンは、制御プログラムに関連するものであり、メモリ１１１に記憶されている。
【００５４】
一方、ｓ５において携帯端末３から返信があると判定すると、ＭＰＵ１０５は、通信制御部１１２で返信された通信内容を確認し、変更が了承されたか否かを判定する（ｓ６）。この判定は、上述のチェックボックスを確認するだけであるため（図５参照）、容易である。
変更が了承されたと判定すると、ＭＰＵ１０５は、録画予約時間を変更するための録画予約時間変更ルーチンを実行し（ｓ８）、本処理を終了する。
【００５５】
一方、変更が了承されていないと判定すると、ＭＰＵ１０５は、その放送番組に限り録画予約時間を変更しない事を決定し（ｓ１０）、本処理を終了する。この決定は、録画予約情報テーブル１１１aにおいて、その放送番組にフラグを付す。
【００５６】
図６は、本発明の実施形態である映像記録装置のＭＰＵが行う動作を示すフローチャートである。この動作は、図４のｓ８における録画予約時間変更ルーチン（サブルーチン）での動作である。
図４のｓ８において録画予約時間変更ルーチンを実行すると、ＭＰＵ１０５は、光ディスクＤ又はＨＤＤ１０４ｄの残容量を確認する（ｓ１０１）。
次に、ＭＰＵ１０５は、光ディスクＤ又はＨＤＤ１０４ｄに、取得したＥＰＧの放送時間分のデータを全て記憶するだけの残容量が残っているか否か判定する（ｓ１０２）。例えば、予約されている放送番組の放送時間が延長された場合、光ディスクＤ又はＨＤＤ１０４ｄに、その延長分のデータを全て記憶するだけの残容量があるか否か判定する。
【００５７】
光ディスクＤ又はＨＤＤ１０４ｄに、取得したＥＰＧの放送時間分のデータを全て記憶するだけの残容量があると判定すると、ＭＰＵ１０５は、メモリ１１１に記憶されている録画予約時間を、取得したＥＰＧの放送時間に変更し（ｓ１０６）、録画予約時間変更ルーチンを終了する。
【００５８】
以上より、ＥＰＧを取得し、放送番組の放送時間が変更されていた場合、その旨のメールをユーザ所有の携帯端末３に送信することで、ユーザの判断の下、映像記録装置１の録画予約時間を素早く変更できるという効果を奏する。
【００５９】
一方、ｓ１０２において、光ディスクＤ又はＨＤＤ１０４ｄに、取得したＥＰＧの放送時間分のデータを全て記憶するだけの残容量がないと判定すると、ＭＰＵ１０５は、光ディスクＤ又はＨＤＤ１０４ｄに保存されている既存のファイルを削除しても良いか否かのメールを携帯端末３に送信することを通信制御部１１２に指示する（ｓ１０３）。つまり、通信制御部１１２を用いて携帯端末３に送信する。このメール送信は、光ディスクＤ又はＨＤＤ１０４ｄの既存ファイルを削除しても良いか否かユーザに判断してもらうためである。
【００６０】
例えば、ｓ１０３において図７に示すようなメールを送信する。
図７は、ユーザ所有の携帯端末に送信するメールのフォーマットの一例を示す図である。
ユーザは、ＹＥＳかＮＯかのいずれか一方のチェックボックスに印を付け、ＹＥＳであれば削除しても良い番組（ファイル）に印を付けて、映像記録装置１に返信する。このようにチェックボックスを用いることにより、ＭＰＵ１０５がどのファイルを削除するのかを容易に判断できるため、素早く録画予約時間を変更できる。
以上より、映像記録装置１の録画予約時間を変更するに当って光ディスクＤ又はＨＤＤ１０４ｄに残容量がない場合、その旨をユーザに通知することができるという効果を奏する。
【００６１】
次に、ＭＰＵ１０５は、既存のファイルを削除しても良い旨の返信が携帯端末３からあったか否かを判定する（ｓ１０４）。
既存のファイルを削除しても良い旨の返信が携帯端末３からあると、ＭＰＵ１０５は、ユーザにより選択されたファイルを削除する（ｓ１０５）。つまり、図７においてＹＥＳのチェックボックスに印が付されていると、ＭＰＵ１０５は、チェックボックスに印が付いたファイルを削除する。これにより、光ディスクＤ又はＨＤＤ１０４ｄに空き領域ができ、この空き領域に、録画番組の延長部分を記録できる。
【００６２】
ＭＰＵ１０５は、メモリ１１１に記憶されている録画予約時間を、取得したＥＰＧの放送時間に変更し（ｓ１０６）、録画予約時間変更ルーチンを終了する。
以上より、ＥＰＧを取得し、放送番組の放送時間が変更されていた場合、その旨のメールをユーザ所有の携帯端末３に送信することで、ユーザの判断の下、映像記録装置１の録画予約時間を素早く変更できるという効果を奏する。
【００６３】
一方、ｓ１０４において、既存のファイルを削除してはいけない旨の返信が携帯端末３からあったと判定すると、ＭＰＵ１０５は、その他の手段を講じる旨のメールを携帯端末３に送信することを通信制御部１１２に指示する（ｓ１０７）。つまり、通信制御部１１２を用いて携帯端末３に送信する。その他の手段を講じる旨のメールとは、光ディスクＤ又はＨＤＤ１０４ｄに低画質録画を行っても良いか否か、既に録画した録画番組の前半部分を削除しても良いか否か、録画番組の後半部分を録画中止しても良いか否か、を選択させるメールである。
録画番組の前半部分とは、例えば録画番組の前半３０分である。これは、野球中継において、試合を決する放送番組の後半部分を、前半部分よりも、優先させた趣旨である。
このメールは、最後の手段として、ユーザに判断してもらうためのメールである。
例えば、ｓ１０７において図８に示すようなメールを送信する。
図８は、ユーザ所有の携帯端末に送信するメールのフォーマットの一例を示す図である。
なお、その他の手段を講じる旨のメールとして、低画質録画を行っても良いか否か、既に録画した録画番組の前半部分を削除しても良いか否か、を選択させるメールを採用しているが、録画番組の後半部分を録画中止しても良いか否かを選択させるメールであってもよい。
また、ｓ１０４において、既存のファイルを削除してはいけない旨の返信が携帯端末３からあった判定すると、図４のｓ１０と同じように、ＭＰＵ１０５は、その放送番組に限り録画予約時間を変更しない事を決定し、本処理を終了しても良い。
【００６４】
図８に示すように、ユーザは、いずれかのチェックボックスに印を付けて、映像記録装置１に返信する。このようにチェックボックスを用いることにより、ＭＰＵ１０５がどの手段を講じればよいのかを容易に判断できるため、素早く録画予約時間の変更以外の手段を講じることができる。
【００６５】
携帯端末３からメールの返信があると、ＭＰＵ１０５は、そのメール内容から低画質録画を行っても良いか否かを判定する（ｓ１０８）。この判定は、図８のチェックボックスを確認することにより行う。
低画質録画を行っても良いと判定すると、ＭＰＵ１０５は、録画予約情報の内の記録画質を変更し（ｓ１１１）、ｓ１０６に進み処理を継続する。
【００６６】
一方、低画質録画を行ってはいけないと判定すると、ＭＰＵ１０５は、そのメール内容から既に録画した録画番組の前半部分を削除しても良いか否かを判定する（ｓ１０９）。この判定は、図８のチェックボックスを確認することにより行う。
そのメール内容から既に録画した録画番組の前半部分を削除しても良いと判定すると、ＭＰＵ１０５は、現在録画している録画番組の前半部分を、光ディスクＤ又はＨＤＤ１０４ｄから削除させ（ｓ１１０）、ｓ１０６に進み処理を継続する。ｓ１１０により、光ディスクＤ又はＨＤＤ１０４ｄに空き領域ができ、この空き領域に、録画番組の延長部分を記録できる。
【００６７】
一方、そのメール内容から既に録画した録画番組の前半部分を削除してはいけないと判定すると、ＭＰＵ１０５は、図４のｓ４に戻り処理を継続する。結局ユーザはどれも選択しなかったため、最初の画面である図５に戻ることとしている。
【図面の簡単な説明】
【００６８】
【図１】本発明の実施形態である映像記録装置の構成を示すブロック図
【図２】本発明の実施形態において、ユーザ所有の携帯端末と映像記録装置とが通信ネットワークを介してメール等で通信するシステムを示す図
【図３】本発明の実施形態である映像記録装置の内部状態を示す図
【図４】本発明の実施形態である映像記録装置のＭＰＵが行う動作を示すフローチャート
【図５】ユーザ所有の携帯端末に送信するメールのフォーマットの一例を示す図
【図６】本発明の実施形態である映像記録装置のＭＰＵが行う動作を示すフローチャート
【図７】ユーザ所有の携帯端末に送信するメールのフォーマットの一例を示す図
【図８】ユーザ所有の携帯端末に送信するメールのフォーマットの一例を示す図
【符号の説明】
【００６９】
１−映像記録装置
２−メールサーバ
３−端末装置
４−Webサーバ
１０１−映像信号入力端子
１０２−ＴＶチューナ
１０３−エンコーダ部
１０４−記録再生部
１０５−マイクロプロセッサユニット
１０６−デコーダ部
１０７−映像出力端子
１０８−表示部
１０９−タイマーマイコン
１１０−ユーザ操作入力部
１１１−メモリ
１１２−通信制御部
【図１】
0004752440.tif 000002
【図２】
0004752440.tif 000003
【図３】
0004752440.tif 000004
【図４】
0004752440.tif 000005
【図５】
0004752440.tif 000006
【図６】
0004752440.tif 000007
【図７】
0004752440.tif 000008
【図８】
0004752440.tif 000009